(57)【要約】【課題】静止画像記録中もモニタへスルー画像を表示することが可能な電子カメラを提供すること。【解決手段】撮像素子１の受光面上に静止画を得るための第１の撮像領域２と、スルー画を得るための第２の撮像領域３とを形成する。これら第１の撮像領域２、第２の撮像領域３から、個別に画像信号を読み出す。第１の撮像領域２、第２の撮像領域３でそれぞれ個別に読み出した画像信号を個別に画像処理することにより、静止画像記録とスルー画表示とを同時に行う。【選択図】図１
2006345390.tif 000002
【特許請求の範囲】
【請求項１】
受光面上の第１の撮像領域に結像された被写体像に係る画像信号が出力される第１の出力端子と、前記受光面上の前記第１の撮像領域とは異なる位置に前記第１の撮像領域よりも小さな領域を有するように設けられた第２の撮像領域に結像された被写体像に係る画像信号が出力される第２の出力端子と、を個々に有する撮像素子と、
前記被写体像を前記第１の撮像領域に結像させると共に、前記第１の撮像領域に結像される被写体像と略同一の被写体像を縮小して前記第２の撮像領域に結像させる撮像光学系と、
前記第１の出力端子からの画像信号を処理する第１の画像処理部と、
前記第１の画像処理部において処理された画像信号を記録する記録部と、
前記第２の出力端子からの画像信号を処理する第２の画像処理部と、
前記第２の画像処理部において処理された画像信号に基づいて画像表示を行う表示部と、
を具備することを特徴とする電子カメラ。
【請求項２】
前記撮像素子は、前記第２の撮像領域が前記撮像光学系による前記第１の撮像領域への前記被写体像の結像時に、その結像領域に含まれる位置に設けられるように構成され、
前記第１の撮像領域及び前記第２の撮像領域に前記被写体像を結像させる第１のモードと前記第２の撮像領域にのみ前記被写体像を結像させる第２のモードとを排他的に実行するように制御すると共に、前記第１のモードのときに、前記第１の撮像領域と前記第２の撮像領域とを合わせた領域に係る画像信号を前記記録部に記録させる制御部をさらに具備することを特徴とする請求項１に記載の電子カメラ。
【発明の詳細な説明】
【技術分野】
【０００１】
本発明は、電子カメラに関し、特に連続撮像する機能を備えた電子カメラに関する。
【背景技術】
【０００２】
近年、電子カメラはコンパクト化が進み、光学ファインダ（Optical View Finder：OVF）が無く、モニタのみの電子カメラが製品化されてきている。このような電子カメラにおいては、撮像素子で連続的に得られた画像信号を連続的にモニタに表示させる、所謂スルー画表示を用いた電子ビューファインダ（Electric View Finder：EVF）が利用されている。
【０００３】
また、近年の電子カメラは撮像素子の高画素化も進んでおり、これに伴って撮像素子から画像信号を読み出すのに２００ｍｓ以上かかる場合がある。このため、高画素の撮像素子からの画像信号をモニタにスルー画表示させると、画像表示のタイミングに画像信号の読み出しのタイミングが追従できずに、コマ落ちが起こる可能性がある。このようなコマ落ちが起こってしまうと、動きのある被写体をモニタで確認しながら撮影することが困難である。例えば、連続撮影時に、コマ落ちが起き、モニタがブラックアウト状態（非表示状態）となると、ユーザが動きのある被写体を追従して連続撮影することは困難である。
【０００４】
そこで、特許文献１では、スルー画表示の時には、撮像素子からの画像信号を間引き読み出しして１回の読み出し期間を短くすることによって、コマ落ちしないスルー画を表示させると共に、レリーズ操作を受けて静止画像を記録する時には、スルー画の表示をフリーズさせた状態で全画素からの画像信号の読み出しを行い、読み出しが終了したらスルー画の表示を再開するようにしている。さらにこの特許文献１では、連続撮影の時には、記録される静止画像と静止画像の間に、スルー画を表示させるようにしている。
【０００５】
また、特許文献１の手法では、静止画像記録の間は、モニタの表示をフリーズさせているが、特許文献２では、記録用画像の処理系と表示用画像の処理系とを分けることにより、モニタにスルー画像を表示させながら、静止画像を記録できるようにしている。
【特許文献１】特開２００３−２２４７６０号公報
【特許文献２】特開２００１−１３３６８０号公報
【発明の開示】
【発明が解決しようとする課題】
【０００６】
特許文献１の手法では、スルー画におけるコマ落ちについては解決しているが、静止画像を記録している間は、モニタの表示はフリーズしており、動きの速い被写体を連続撮影する場合に、ユーザが被写体の動きを追従できずに撮影を行えないことが考えられる。また、連続撮影した静止画像と静止画像との間にスルー画表示を行っているので、スルー画像を表示している時間分、連写間隔が開いてしまい高速連写が行えないことになる。
【０００７】
また、特許文献２の手法では、撮像素子を２つ実装する為、部品点数が多くなり、コストが高く、実装面積も大きくなりやすい。
【０００８】
本発明は、上記の事情に鑑みてなされたもので、静止画像記録中もモニタへスルー画像を表示することが可能な電子カメラを提供することを目的とする。
【課題を解決するための手段】
【０００９】
上記の目的を達成するために、本発明の第１の態様による電子カメラは、受光面上の第１の撮像領域に結像された被写体像に係る画像信号が出力される第１の出力端子と、前記受光面上の前記第１の撮像領域とは異なる位置に前記第１の撮像領域よりも小さな領域を有するように設けられた第２の撮像領域に結像された被写体像に係る画像信号が出力される第２の出力端子と、を個々に有する撮像素子と、前記被写体像を前記第１の撮像領域に結像させると共に、前記第１の撮像領域に結像される被写体像と略同一の被写体像を縮小して前記第２の撮像領域に結像させる撮像光学系と、前記第１の出力端子からの画像信号を処理する第１の画像処理部と、前記第１の画像処理部において処理された画像信号を記録する記録部と、前記第２の出力端子からの画像信号を処理する第２の画像処理部と、前記第２の画像処理部において処理された画像信号に基づいて画像表示を行う表示部とを具備することを特徴とする。
【００１０】
この第１の態様では、撮像素子の１つの受光面上に第１の撮像領域と第２の撮像領域とを設け、これら第１の撮像領域と第２の撮像領域とから画像信号を個別に出力させるようにしている。そして、第１の撮像領域から出力された画像信号は第１の画像処理部で処理を行った後で記録部に記録し、第２の撮像領域から出力された画像信号は第２の画像処理部で処理を行った後で表示部に表示させるようにしている。これにより、静止画の記録中に表示部に画像表示を行うことが可能である。
【発明の効果】
【００１１】
本発明によれば、静止画像記録中もモニタへスルー画像を表示することが可能な電子カメラを提供することができる。
【発明を実施するための最良の形態】
【００１２】
以下、図面を参照して本発明の実施形態を説明する。  
［第１の実施形態］
まず、第１の実施形態の概念について説明する。図１は、本発明の第１の実施形態に係る電子カメラに搭載される撮像素子の概略構成図である。図１の撮像素子１は、ＣＣＤイメージャの例であり、第１の撮像領域２及び第２の撮像領域３を有する受光面が設けられている。これら撮像領域はそれぞれ多数の画素から構成され、これら画素は受光部たるフォトダイオードが２次元的に配列されて構成されている。フォトダイオードに結像された被写体像は光電変換される。ここで、第１の撮像領域２は高画素の静止画像を得る為の撮像領域である。この第１の撮像領域２は、例えば数百万画素の画素から構成されており、画像信号の読み出しに例えば数百ｍｓ程度を要する。また、第２の撮像領域３は、例えば数十万画素の画素から構成されており、画像信号の読み出しに例えば十数ｍｓ程度を要する。なお、第１の撮像領域２と第２の撮像領域３とにそれぞれ結像される被写体像は、図２に示すように同一の画角となるようにする。このための手法については後述する。
【００１３】
また、第１の撮像領域２の各フォトダイオードは、リードゲート及び垂直読み出しバッファ（ＶＣＣＤ）を介して水平読み出しバッファ（ＨＣＣＤ）４に接続されている。また、第２の撮像領域３の各フォトダイオードは、図示しないリードゲート及び垂直読み出しバッファ（ＶＣＣＤ）を介して水平読み出しバッファ（ＨＣＣＤ）５に接続されている。
【００１４】
それぞれの撮像領域における各フォトダイオードの光電変換によって得られた電荷は、リードゲートを介して垂直読み出しバッファ（ＶＣＣＤ）に転送される。垂直読み出しバッファ（ＶＣＣＤ）に転送された電荷は、各垂直読み出しバッファ（ＶＣＣＤ）に接続されている水平読み出しバッファ（ＨＣＣＤ）４、５に垂直転送され、水平読み出しバッファ（ＨＣＣＤ）４、５において水平転送される。ここで、水平読み出しバッファ（ＨＣＣＤ）４、５の出力端子はそれぞれ増幅器を介して後段の撮像素子駆動回路に接続されている。つまり、水平読み出しバッファ（ＨＣＣＤ）４、５によって水平転送された電荷は増幅器を介して画像信号に変換された後、撮像素子駆動回路に入力される。
【００１５】
図３は、第１の実施形態の電子カメラの要部の構成を示すブロック図である。図３において、図１に示す構成を有する撮像素子１０は撮像素子駆動回路１１によって駆動される。また、撮像素子駆動回路１１において撮像素子１０からの画像信号の読み出しも行われる。撮像素子１０の第１の撮像領域２から読み出された画像信号は、第１の画像処理部たる静止画処理部１２において種々の画像処理が行われる。ここで処理された画像信号はＪＰＥＧ方式などの手法で圧縮されて記録部１３に記録される。撮像素子１０の第２の撮像領域３から読み出された画像信号は、第２の画像処理部たるスルー画処理部１４において種々の画像処理が行われる。ここで処理された画像信号から、ＮＴＳＣやＰＡＬなどの所定のフォーマットに従った画像信号が生成され、生成された画像信号に基づいて表示部１５に画像表示が行われる。
【００１６】
このような構成によって、撮像素子１０からの読み出しを静止画用の画像信号とスルー画用の画像信号とに分ける事ができ、またそれぞれの画像処理を別々に行うことができる。
【００１７】
以下、第１の実施形態についてさらに詳しく説明する。図４は、本発明の第１の実施形態に係る電子カメラの全体の構成図である。図４の電子カメラは、レンズ３１と、分光部３２と、シャッタ３３と、シャッタ制御部３４と、撮像素子３５と、タイミングジェネレータ（ＴＧ）制御部３６と、プリプロセス回路３７と、アナログデジタル変換器（Ａ／Ｄ）３８と、画像処理回路３９と、バス４０と、メモリ制御回路４１と、ＳＤＲＡＭ４２と、ＪＰＥＧ処理回路４３と、ＣＰＵ４４と、メモリカード４５と、レンズ４６と、シャッタ４７と、プリプロセス回路４８と、アナログデジタル変換器（Ａ／Ｄ）４９と、画像処理回路５０と、表示制御回路５１と、モニタ５２とから構成されている。ここで、レンズ３１と、分光部３２と、レンズ４６とで撮像光学系を構成している。また、撮像素子３５は図１に示すようにして構成されている。さらに、ＴＧ制御部３６は図３の撮像素子駆動回路１１に、画像処理回路３９は図３の静止画処理部１２に、メモリカード４５は図３の記録部１３に、画像処理回路５０は図３のスルー画処理部１４に、モニタ５２は図３の表示部１５にそれぞれ対応している。
【００１８】
レンズ３１は、複数のレンズから構成されており、被写体像を後方の分光部３２に入射させる。分光部３２では、レンズ３１を介して入射した被写体像が、その後方に配置された撮像素子３５の第１の撮像領域２の方向と第２の撮像領域３の方向とに分光される。ここで、分光部３２としては、例えばプリズムを用いた構成が考えられる。また、プリズムの代わりに、レンズ３１とシャッタ３３との間にレンズ３１の光軸に対して略４５度の傾きを持つようなハーフミラーを配置し、このハーフミラーによる被写体像の反射方向に、被写体像を第２の撮像領域３の側に反射させる全反射ミラーを配置するような構成も考えられる。
【００１９】
分光部３２によって第１の撮像領域２の方向に分光された被写体像は、シャッタ３３に入射する。シャッタ３３では、シャッタ制御部３４の制御の下、被写体像が撮像素子３５の第１の撮像領域２に露光される期間が制御される。シャッタ３３において露光期間が制御された被写体像は、図示しない色フィルタを介して撮像素子３５の第１の撮像領域２に結像される。撮像素子３５の駆動制御及び撮像素子３５で得られた画像信号の読み出し制御は、ＴＧ制御部３６によって行われる。
【００２０】
撮像素子３５の第１の撮像領域２で得られた画像信号は、プリプロセス回路３７において増幅処理、ノイズ除去処理、波形成形処理などの所定のアナログ処理が行われた後、アナログデジタル変換器３８においてデジタルデータ化される。
【００２１】
アナログデジタル変換器３８においてデジタルデータ化された画像信号は、画像処理回路３９において種々の画像処理が行われ、バス４０を介してメモリ制御回路４１に転送された後、メモリ制御回路４１の指示に従ってＳＤＲＡＭ４２に書き込まれる。ＳＤＲＡＭ４２に書き込まれた画像信号は、メモリ制御回路４１の指示に従ってＪＰＥＧ処理回路４３に転送される。ＪＰＥＧ処理回路４３に転送された画像信号は、ＣＰＵ４４から指示される圧縮率に従って圧縮される。圧縮された画像信号は、ＣＰＵ４４からの指示に従ってメモリカード４５に記録される。
【００２２】
また、分光部３２によって第２の撮像領域３の方向に分光された被写体像は、レンズ４６において、その画角が第１の撮像領域２に結像される被写体像の画角と同一の画角を保った状態で縮小された後、シャッタ４７に入射する。シャッタ４７では、シャッタ制御部３４の制御の下、被写体像が撮像素子３５の第２の撮像領域３に露光される期間が制御される。シャッタ４７において露光期間が制御された被写体像は、図示しない色フィルタを介して撮像素子の第２の撮像領域３に結像される。撮像素子３５の駆動制御及び撮像素子３５で得られた画像信号の読み出し制御はＴＧ制御部３６によって行われる。
【００２３】
撮像素子３５の第２の撮像領域３で得られた画像信号は、プリプロセス回路４８において増幅処理、ノイズ除去処理、波形成形処理などの所定のアナログ処理が行われた後、アナログデジタル変換器４９においてデジタルデータ化される。
【００２４】
アナログデジタル変換器４９においてデジタルデータ化された画像信号は、画像処理回路５０において種々の画像処理が行われた後、表示制御回路５１に入力される。表示制御回路５１では、入力された画像信号からＮＴＳＣやＰＡＬなどの所定のフォーマットに従った画像信号が生成され、この生成された画像信号に基づいてモニタ５２に画像表示が行われる。
【００２５】
図４のような構成によって、撮像素子３５の第１の撮像領域２に結像された静止画用の画像信号を読み出している期間においても、撮像素子３５の第２の撮像領域３に結像されたスルー画用の画像信号を読み出すことが可能である。また、撮像素子の第１の撮像領域２から静止画用の画像信号が、第２の撮像領域３からスルー画用の画像信号がそれぞれ読み出された後は、それぞれの画像信号に対して個別に設けられた画像処理回路において個別に処理されるので、静止画像をメモリカード４５に記録している期間であっても、スルー画像をモニタ５２に表示させる事が可能である。
【００２６】
ここで、撮像素子３５の第１の撮像領域２と第２の撮像領域３とにそれぞれ同一画角の被写体像を入射させる方法は、図４で示した分光部３２を用いずに図５で示す方法を用いても構わない。
【００２７】
図５において、レンズ３１を介して入射された被写体像は静止画像用として撮像素子３５の第１の撮像領域２に結像されて光電変換される。撮像素子３５の第１の撮像領域２において光電変換されて得られた電荷は垂直読み出しバッファ（ＶＣＣＤ）に転送された後、水平読み出しバッファ（ＨＣＣＤ）４に垂直転送される。水平読み出しバッファ（ＨＣＣＤ）４に垂直転送された電荷は水平転送される。これによりＴＧ制御部３６の制御のもと、第１の撮像領域２からの画像信号の読み出しが行われる。なお、プリプロセス回路３７から静止画像の記録までの処理については図４で説明したものと同様である。
【００２８】
一方、レンズ４６を介して入射された被写体像はスルー画用として撮像素子３５の第２の撮像領域３に結像されて光電変換される。ここで、第１の撮像領域２と第２の撮像領域３とは１つの撮像素子３５の受光面上に構成されており、これに伴ってレンズ３１とレンズ４６とは近接して配置されることになる。したがって、第１の撮像領域２と第２の撮像領域３とは略同一画角の被写体像が結像される。撮像素子３５の第２の撮像領域３において光電変換されて得られた電荷は垂直読み出しバッファ（ＶＣＣＤ）に転送された後、水平読み出しバッファ（ＨＣＣＤ）５に垂直転送される。水平読み出しバッファ（ＨＣＣＤ）５に垂直転送された電荷は水平転送される。これによりＴＧ制御部３６の制御のもと、第２の撮像領域３からの画像信号の読み出しが行われる。なお、プリプロセス回路４８からスルー画表示までの処理については図４で説明したものと同様である。
【００２９】
このように、第１の実施形態においては、撮像素子３５からの画像信号の読み出しを静止画用画像信号の読み出しとスルー画用画像信号の読み出しとに分け、それぞれの画像信号に対して画像処理回路を設ける事によって、それぞれの画像信号に対する画像処理を別々に行うことができる。したがって、静止画像の記録中であっても、モニタ５２へのスルー画表示をフリーズさせることがない。また、スルー画用の撮像領域は画素数が少なくなっているのでコマ落ちが起こることがない。これにより、６０フレーム／秒のスルー画を表示させて動きのある被写体も確実にモニタ５２にとらえ、かつ高画素の静止画像を、間隔を空けずに連続して記録することができる。さらに、１つの撮像素子に２つの撮像領域を設ける事で、コスト及び実装面積を抑えることが可能であるという特有の効果が得られる。
【００３０】
［第２の実施形態］
次に、本発明の第２の実施形態について説明する。図６は、本発明の第２の実施形態に係る電子カメラに搭載される撮像素子の概略構成図である。なお、電子カメラ全体の構成は、図４で説明した構成に準じている。ただし、第２の実施形態においては、撮像素子３５の第１の撮像領域及び第２の撮像領域からの画像信号を共にプリプロセス回路３７に入力できるようになっている。
【００３１】
図６の撮像素子２１も第１の実施形態と同様に、第１の撮像領域２２及び第２の撮像領域２３を有する受光面が設けられている。これら撮像領域は複数の画素から構成され、これら画素は受光部たるフォトダイオードが２次元的に配列されて構成されており、フォトダイオードに結像された被写体像は光電変換される。
【００３２】
ここで、第２の実施形態においては、撮像光学系を介して被写体像が第１の撮像領域２２に結像される際の結像領域に含まれる位置に第２の撮像領域２３が設けられている点が第１の実施形態と異なっている。
【００３３】
このような構成において、高画素の静止画像を得るために、静止画の記録時には第１の撮像領域２２と第２の撮像領域２３とをあたかも１つの撮像領域の如く扱い、レンズ３１を介して入射した被写体像を撮像素子３５の受光面の全面に受光させる。撮像素子３５の第１の撮像領域２２において光電変換されて得られた電荷は垂直読み出しバッファ（ＶＣＣＤ）に転送された後、水平読み出しバッファ（ＨＣＣＤ）２４に垂直転送される。水平読み出しバッファ（ＨＣＣＤ）２４に垂直転送された電荷は水平転送される。一方、撮像素子３５の第２の撮像領域２３において光電変換されて得られた電荷は垂直読み出しバッファ（ＶＣＣＤ）に転送された後、水平読み出しバッファ（ＨＣＣＤ）２５に垂直転送される。水平読み出しバッファ（ＨＣＣＤ）２５に垂直転送された電荷は水平転送される。これによりＴＧ制御部３６の制御のもと、第１の撮像領域２２及び第２の撮像領域２３からの画像信号の読み出しが行われる。ここで、第２の実施形態では、静止画記録時には第２の撮像領域２３から読み出された画像信号がプリプロセス回路３７に入力され、画像処理回路３９で処理される。画像処理回路３９で処理された第１の撮像領域２２からの画像信号と第２の撮像領域２３からの画像信号とはメモリ制御回路４１に転送される。メモリ制御回路４１においてはアドレス制御によって第１の撮像領域２２からの画像信号と第２の撮像領域２３からの画像信号とが１枚の静止画像信号として合成された後で、メモリカード４５に記録される。このように、第１の撮像領域２２と第２の撮像領域２３とをあたかも１つの撮像領域の如く扱い、レンズ３１を介して入射した被写体像を撮像素子３５の受光面の全面に受光させる動作モードを、以下、第１のモードとする。
【００３４】
一方、スルー画を得る場合には、レンズ３１を介して第１の撮像領域２２と第２の撮像領域２３とに入射される被写体像が分光部３２において分光された後、一方は第１の撮像領域２２に結像され、他方はレンズ４６において、レンズ３１を介して入射した被写体像と同一画角を保った状態で縮小され、撮像素子３５の第２の撮像領域２３に結像される。撮像素子３５の第２の撮像領域２３において光電変換されて得られた電荷は垂直読み出しバッファ（ＶＣＣＤ）に転送された後、水平読み出しバッファ（ＨＣＣＤ）２５に垂直転送される。水平読み出しバッファ（ＨＣＣＤ）２５に垂直転送された電荷は水平転送される。これによりＴＧ制御部３６の制御のもと、第２の撮像領域２３からの画像信号の読み出しが行われる。なお、プリプロセス回路４８からスルー画表示までの処理については図４で説明したものと同様である。このように、レンズ３１に入射した被写体像と同一画角を保った状態の被写体像を縮小して撮像素子３５の第２の撮像領域２３に結像させる動作モードを、以下、第２のモードとする。
【００３５】
このように第２の実施形態では、第２の撮像領域２３を第１のモードと第２のモードとに兼用している。この為、第１のモード時には第２の撮像領域２３において光電変換された電荷を、垂直転送、水平転送して読み出すまでの期間、例えば十数ｍｓの期間は、第２の撮像領域２３におけるスルー画を得るための第２のモードの動作を行うことができない。したがって、第１のモード時には、モニタ５２へのスルー画表示はフリーズさせられることになる。よって、スルー画表示は、６０コマ中の１コマ分コマ落ちすることになるが、被写体像をモニタ５２上にとらえることに差し支え無い。また、高画素の静止画像を５フレーム／秒で連続撮影する場合でも、スルー画表示は、６０コマ中の５コマ分のコマ落ちとなるだけで、被写体像をモニタ５２上にとらえることに差し支え無い。
【００３６】
以上のように、第１のモードの動作と第２のモードの動作とが排他的に実行されるように制御される。この制御はＣＰＵ４４により行われる。例えば、ＣＰＵ４４は、第１のモードにおいてはシャッタ４７を閉じるように、第２のモードにおいてはシャッタ３３を閉じるように制御する。なお、ここでの制御はシャッタの開閉制御に限るものではなく、例えばレンズ４６を進退させるように制御しても良い。
【００３７】
また、第２の実施形態のように、静止画像を得る為に第１のモードの動作を実行し、スルー画を得る為に第２のモードの動作を実行するようにすれば、１つの撮像素子上の有効画素部分を増やすことが可能である。これにより、撮像素子全体の大きさを、第１の実施形態よりも抑えることができ、コスト、実装面積をさらに抑えることができるという特有の効果が得られる。
【００３８】
以上実施形態に基づいて本発明を説明したが、本発明は上記した実施形態に限定されるものではなく、本発明の要旨の範囲内で種々の変形や応用が可能なことは勿論である。
【００３９】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００４０】
【図１】本発明の第１の実施形態に係る電子カメラに搭載される撮像素子の概略構成図である。
【図２】撮像素子の２つの撮像領域にそれぞれ結像される被写体像について示す図である。
【図３】第１の実施形態の電子カメラの要部の構成を示すブロック図である。
【図４】本発明の第１の実施形態に係る電子カメラの全体の構成図である。
【図５】第１の実施形態の変形例について示す図である。
【図６】本発明の第２の実施形態に係る電子カメラに搭載される撮像素子の概略構成図である。
【符号の説明】
【００４１】
１，１０，２１，３５…撮像素子、２，２２…第１の撮像領域、３，２３…第２の撮像領域、４，５，２４，２５…水平読み出しバッファ（ＨＣＣＤ）、１１…撮像素子駆動回路、１２…静止画処理部、１３…記録部、１４…スルー画処理部、１５…表示部、３１，４６…レンズ、３２…分光部、３３，４７…シャッタ、３４…シャッタ制御部、３６…タイミングジェネレータ（ＴＧ）制御部、３７，４８…プリプロセス回路、３８，４９…アナログデジタル（Ａ／Ｄ）変換器、３９，５０…画像処理回路、４０…バス、４１…メモリ制御回路、４２…ＳＤＲＡＭ、４３…ＪＰＥＧ処理回路、４４…ＣＰＵ、４５…メモリカード、５１…表示制御回路、５２…モニタ
【図１】
2006345390.tif 000003
【図２】
2006345390.tif 000004
【図３】
2006345390.tif 000005
【図４】
2006345390.tif 000006
【図５】
2006345390.tif 000007
【図６】
2006345390.tif 000008